(57)【要約】【課題】装置前面に操作パネルがある構成では、操作方法を視認しながら装置背面側で装置の操作を行うことはできず、ユーザーの利便性が損なわれていた。【解決手段】媒体に対し記録を行う記録手段を備えた記録装置を携帯情報端末から操作する為に前記携帯情報端末において実行されるプログラムであって、前記記録装置の背面側から媒体を給送する際に発生するイベントに基づき、前記イベント発生以降のユーザー操作方法に関する情報を前記携帯情報端末の表示部に表示させるステップを実行させることを特徴とする。【選択図】図１３
2022001405.tif 000002
【特許請求の範囲】
【請求項１】
媒体に対し記録を行う記録手段を備えた記録装置を携帯情報端末から操作する為に前記携帯情報端末において実行されるプログラムであって、
前記記録装置の背面側から媒体を給送する際に発生するイベントに基づき、前記イベント発生以降のユーザー操作方法に関する情報を前記携帯情報端末の表示部に表示させるステップを実行させる、
ことを特徴とするプログラム。
【請求項２】
請求項１に記載のプログラムにおいて、前記イベントは、前記記録装置の背面側から媒体を給送する給送経路を閉塞するユニット体が取り外されたことを検出した旨の、前記記録装置から前記携帯情報端末に向けた通知である、
ことを特徴とするプログラム。
【請求項３】
請求項１に記載のプログラムにおいて、前記イベントは、前記記録装置の背面側から媒体を給送する給送経路を形成する経路形成部材が前記記録装置に装着された旨の、前記記録装置から前記携帯情報端末に向けた通知である、
ことを特徴とするプログラム。
【請求項４】
請求項１に記載のプログラムにおいて、前記イベントは、前記記録装置の背面側に設けられた人感センサーが人を検知した旨の、前記記録装置から前記携帯情報端末に向けた通知である、
ことを特徴とするプログラム。
【請求項５】
請求項１から請求項４のいずれか一項に記載のプログラムにおいて、前記ユーザー操作方法に関する情報には、静止画及び動画の少なくともいずれかが含まれる、
ことを特徴とするプログラム。
【請求項６】
媒体に対し記録を行う記録手段と、
前記記録手段を備える装置本体の背面側から媒体を給送する給送経路と、を備え、
前記装置本体の各種制御を行う制御手段は、携帯情報端末との通信が確立された状態で前記給送経路から媒体を給送する際に発生するイベントを検出すると、当該検出を前記携帯情報端末に通知する、
ことを特徴とする記録装置。
【請求項７】
媒体に記録を行う記録装置及び前記記録装置と通信が可能な携帯情報端末を含む記録システムであって、
前記記録装置は、装置背面側から媒体を給送する際に発生するイベントを検出すると、当該検出を前記携帯情報端末に通知し、
前記携帯情報端末は、前記通知を受け、前記イベント発生以降のユーザー操作方法に関する情報を前記携帯情報端末が備える表示部に表示させる、
ことを特徴とする記録システム。
【請求項８】
請求項７に記載の記録システムにおいて、前記記録装置は、装置前面側に各種情報を表示する操作パネルを備え、
前記記録装置が備える前記操作パネルと、前記携帯情報端末が備える前記表示部とで、同じ情報を表示する、
ことを特徴とする記録システム。
【請求項９】
請求項８に記載の記録システムにおいて、前記記録装置が備える前記操作パネルでの表示と、前記携帯情報端末が備える前記表示部での表示は、同期される、
ことを特徴とする記録システム。
【発明の詳細な説明】
【技術分野】
【０００１】
本発明は、媒体に対し記録を行う記録手段を備えた記録装置を携帯情報端末から操作する為に前記携帯情報端末において実行されるプログラムに関する。また本発明は、媒体に対し記録を行う記録装置に関する。また更に本発明は、媒体に記録を行う記録装置及び前記記録装置と通信が可能な携帯情報端末を含む記録システムに関する。
【背景技術】
【０００２】
プリンター等に代表される記録装置では、特許文献１に示される様に、装置前面に操作パネルを配置する構成が多く採用されている。操作パネルには表示部が設けられ、各種表示が行われる様に構成されている。
【先行技術文献】
【特許文献】
【０００３】
【特許文献１】特開２０１２−０００８９８号公報
【発明の概要】
【発明が解決しようとする課題】
【０００４】
記録装置は、装置背面から所定の操作を行う様に構成されることが多い。特許文献１記載の複合機では、装置背面にジャム処理カバーを備え、このカバーを開くことで装置背面側からジャム処理を行うことができる様に構成されている。  
しかしながら、ユーザーによっては装置背面側からの装置の操作方法を知らない場合がある。記録装置の表示部にその操作方法を表示する方法もあるが、上述した様に装置前面に操作パネルがある構成では、操作方法を視認しながら装置背面側で装置の操作を行うことはできず、ユーザーの利便性が損なわれていた。
【課題を解決するための手段】
【０００５】
上記課題を解決するための本発明のプログラムは、媒体に対し記録を行う記録手段を備えた記録装置を携帯情報端末から操作する為に前記携帯情報端末において実行されるプログラムであって、前記記録装置の背面側から媒体を給送する際に発生するイベントに基づき、前記イベント発生以降のユーザー操作方法に関する情報を前記携帯情報端末の表示部に表示させるステップを実行させることを特徴とする。  
また本発明の記録装置は、媒体に対し記録を行う記録手段と、前記記録手段を備える装置本体の背面側から媒体を給送する給送経路と、を備え、前記装置本体の各種制御を行う制御手段は、携帯情報端末との通信が確立された状態で前記給送経路から媒体を給送する際に発生するイベントを検出すると、当該検出を前記携帯情報端末に通知することを特徴とする。  
また本発明の記録システムは、媒体に記録を行う記録装置及び前記記録装置と通信が可能な携帯情報端末を含む記録システムであって、前記記録装置は、装置背面側から媒体を給送する際に発生するイベントを検出すると、当該検出を前記携帯情報端末に通知し、前記携帯情報端末は、前記通知を受け、前記イベント発生以降のユーザー操作方法に関する情報を前記携帯情報端末が備える表示部に表示させることを特徴とする。
【図面の簡単な説明】
【０００６】
【図１】プリンターを前方側から見た斜視図。
【図２】プリンターを前方側から見た斜視図。
【図３】プリンターにおける媒体の搬送経路を示す図。
【図４】プリンターにおける媒体の搬送経路を示す図。
【図５】プリンターを背面側から見た斜視図。
【図６】反転ユニットの斜視図。
【図７】アダプターの斜視図。
【図８】プリンター、携帯情報端末、及びサーバーの接続を示すブロック図
【図９】プリンターの制御系統を示すブロック図。
【図１０】携帯情報端末の制御系統を示すブロック図。
【図１１】プリンター及び携帯情報端末が行う制御とユーザーが行う操作との関連を示すシーケンス図。
【図１２】プリンターが行う制御の流れを示すフローチャート。
【図１３】ユーザー操作方法を案内する画面の一例を示す図。
【図１４】ユーザー操作方法を案内する画面の一例を示す図。
【図１５】ユーザー操作方法を案内する画面の一例を示す図。
【図１６】プリンター及び携帯情報端末が行う制御とユーザーが行う操作との関連を示すシーケンス図。
【図１７】ユーザー操作方法を案内する画面の一例を示す図。
【発明を実施するための形態】
【０００７】
以下、本発明を概略的に説明する。  
第１の態様に係るプログラムは、媒体に対し記録を行う記録手段を備えた記録装置を携帯情報端末から操作する為に前記携帯情報端末において実行されるプログラムであって、前記記録装置の背面側から媒体を給送する際に発生するイベントに基づき、前記イベント発生以降のユーザー操作方法に関する情報を前記携帯情報端末の表示部に表示させるステップを実行させることを特徴とする。
【０００８】
本態様によれば、前記記録装置の背面側から媒体を給送する際に発生するイベントに基づき、前記イベント発生以降のユーザー操作方法に関する情報が前記携帯情報端末の表示部に表示されることとなるので、ユーザーは前記記録装置の背面側から媒体を給送する際の操作方法を視認性容易に確認することができ、ユーザーの利便性が向上する。
【０００９】
第２の態様は、第１の態様において、前記イベントは、前記記録装置の背面側から媒体を給送する給送経路を閉塞するユニット体が取り外されたことを検出した旨の、前記記録装置から前記携帯情報端末に向けた通知であることを特徴とする。
【００１０】
前記記録装置の背面側から媒体を給送する際の給送経路を閉塞するユニット体が取り外されたということは、ユーザーが前記記録装置の背面側から媒体を給送しようとする意思表示であると言える。本態様では、前記イベントは、前記記録装置の背面側から媒体を給送する際の給送経路を閉塞するユニット体が取り外されたことを検出した旨の、前記記録装置から前記携帯情報端末に向けた通知であるので、ユーザーの行動に見合った適切な操作方法を提示することができる。
【００１１】
第３の態様は、第１の態様において、前記イベントは、前記記録装置の背面側から媒体を給送する給送経路を形成する経路形成部材が前記記録装置に装着された旨の、前記記録装置から前記携帯情報端末に向けた通知であることを特徴とする。
【００１２】
前記記録装置の背面側から媒体を給送する際の給送経路を形成する経路形成部材が前記記録装置に装着されたということは、ユーザーが前記記録装置の背面側から媒体を給送しようとする意思表示であると言える。本態様では、前記イベントは、媒体の給送経路を形成する為に前記給送経路を形成する経路形成部材が前記記録装置に装着された旨の、前記記録装置から前記携帯情報端末に向けた通知であるので、ユーザーの行動に見合った適切な操作方法を提示することができる。
【００１３】
第４の態様は、第１の態様において、前記イベントは、前記記録装置の背面側に設けられた人感センサーが人を検知した旨の、前記記録装置から前記携帯情報端末に向けた通知であることを特徴とする。
【００１４】
前記記録装置の背面側に設けられた人感センサーが人を検知したということは、ユーザーが前記記録装置の背面側から媒体を給送しようとする可能性があると言える。本態様では、前記イベントは、前記記録装置の背面側に設けられた人感センサーが人を検知した旨の、前記記録装置から前記携帯情報端末に向けた通知であるので、ユーザーの行動に見合う適切な操作方法を提示することができる。
【００１５】
第５の態様は、第１から第４の態様のいずれかにおいて、前記ユーザー操作方法に関する情報には、静止画及び動画の少なくともいずれかが含まれることを特徴とする。  
本態様によれば、前記ユーザー操作方法に関する情報には、静止画及び動画の少なくともいずれかが含まれるので、前記ユーザー操作方法がユーザーにとって視覚的に判り易くなる。
【００１６】
第６の態様に係る記録装置は、媒体に対し記録を行う記録手段と、前記記録手段を備える装置本体の背面側から媒体を給送する給送経路と、を備え、前記装置本体の各種制御を行う制御手段は、携帯情報端末との通信が確立された状態で前記給送経路から媒体を給送する際に発生するイベントを検出すると、当該検出を前記携帯情報端末に通知することを特徴とする。
【００１７】
本態様によれば、前記制御手段は、携帯情報端末との通信が確立された状態で前記給送経路から媒体を給送する際に発生するイベントを検出すると、当該検出を前記携帯情報端末に通知するので、前記携帯情報端末は、それに応じて前記イベント発生以降のユーザー操作方法に関する情報を前記携帯情報端末の表示部に表示させることができる。これによりユーザーは前記記録装置の背面側から媒体を給送する際の操作方法を視認性容易に確認することができ、ユーザーの利便性が向上する。
【００１８】
第７の態様に係る記録システムは、媒体に記録を行う記録装置及び前記記録装置と通信が可能な携帯情報端末を含む記録システムであって、前記記録装置は、装置背面側から媒体を給送する際に発生するイベントを検出すると、当該検出を前記携帯情報端末に通知し、前記携帯情報端末は、前記通知を受け、前記イベント発生以降のユーザー操作方法に関する情報を前記携帯情報端末が備える表示部に表示させることを特徴とする。
【００１９】
本態様によれば、前記記録装置の背面側から媒体を給送する際に発生するイベントに基づき、前記イベント発生以降のユーザー操作方法に関する情報が前記携帯情報端末の表示部に表示されることとなるので、ユーザーは前記記録装置の背面側から媒体を給送する際の操作方法を視認性容易に確認することができ、ユーザーの利便性が向上する。
【００２０】
第８の態様は、第７の態様において、前記記録装置は、装置前面側に各種情報を表示する操作パネルを備え、前記記録装置が備える前記操作パネルと、前記携帯情報端末が備える前記表示部とで、同じ情報を表示することを特徴とする。  
本態様によれば、ユーザーの利便性を向上させることができる。
【００２１】
第９の態様は、第８の態様において、前記記録装置が備える前記操作パネルでの表示と、前記携帯情報端末が備える前記表示部での表示は、同期されることを特徴とする。  
本態様によれば、ユーザーの利便性をより一層向上させることができる。
【００２２】
以下、本発明を具体的に説明する。  
以下では記録装置の一例としてインクジェットプリンター１について説明する。以下、インクジェットプリンター１を単にプリンター１という。  
尚、各図において示すＸ−Ｙ−Ｚ座標系は、Ｘ軸方向が装置幅方向であり、記録が行われる媒体の幅方向となる。  
Ｙ軸方向は装置奥行方向であり、記録時の媒体搬送方向に沿う方向である。＋Ｙ方向は装置背面から前面に向かう方向であり、−Ｙ方向は装置前面から背面に向かう方向である。本実施形態ではプリンター１の周囲を構成する側面のうち、操作パネル６が設けられた側面つまり＋Ｙ方向の側面が装置前面となり、−Ｙ方向の側面が装置背面となる。  
Ｚ軸方向は鉛直方向に沿う方向であり、装置高さ方向である。＋Ｚ方向が鉛直上方向であり、−Ｚ方向が鉛直下方向である。
【００２３】
尚、以下では媒体が送られていく方向を「下流」と称し、その逆方向を「上流」と称する場合がある。  
また、本明細書では後述する記録ヘッド１７から媒体に対しインクを吐出することを「記録」の用語を用いて表現する場合と、「印刷」の用語を用いて表現する場合とがある。「印刷」は「記録」の一態様であるが、いずれの場合であっても、本明細書においては記録ヘッド１７から媒体に対しインクを吐出することを意味する。
【００２４】
図１、図２においてプリンター１は、媒体にインクジェット記録を行う装置本体２の上部に画像読取装置の一例であるスキャナー部３を備えており、即ちインクジェット記録機能に加えて原稿読み取り機能を備える複合機として構成されている。媒体の一例としては、記録用紙が挙げられる。  
スキャナー部３は、装置本体２に対して回動可能に設けられており、回動することにより、図１に示す閉じた状態と不図示の開いた状態とをとり得る。  
スキャナー部３は、原稿台３ｂ（図３参照）を開閉する原稿カバー３ａを備えている。原稿台３ｂ（図３参照）の下には、Ｙ軸方向に延設されるとともに、センサーモーター３ｄ（図９参照）によってＸ軸方向に移動する読取センサー３ｃ（図３参照）が設けられている。即ちスキャナー部３は、フラットベッドタイプの画像読取装置である。
【００２５】
図１及び図２に示す様に装置本体２は装置前面に、各種操作設定を行い、また記録設定内容や記録画像のプレビュー表示などを行う為の操作パネル６を備えている。操作パネル６は、本実施形態ではタッチパネルとして構成され、各種情報を表示するとともに、ユーザーによる各種設定操作を受け付けるユーザーインターフェース（以下、「ＵＩ」と称する）が実現される。つまり操作パネル６は、プリンター１において各種情報を表示する表示部として機能する。ユーザーは、操作パネル６に表示されたＵＩに従って各種設定操作や実行操作を行う。
【００２６】
装置前面には前面カバー４が設けられており、この前面カバー４を開くことで、媒体カセット１０、媒体排出口９、媒体受けトレイ２１などが露呈する。  
装置後方上面には上面カバー８が開閉可能に設けられており、この上面カバー８を開くことで、延長支持部１２Ｂを上方に展開させることができる。尚、延長支持部１２Ｂは収納状態において図２の二点鎖線及び符号１２Ｂ−１で示す様に後述する反転ユニット２４の背面を覆う位置にある。従って反転ユニット２４を取り外す場合、収納状態にある延長支持部１２Ｂを上方に引き出すこととなる。
【００２７】
続いて図３、図４を参照してプリンター１における媒体の給送経路について説明する。プリンター１は、装置底部の媒体カセット１０から媒体を給送する際の媒体給送経路Ｔ１、装置後方上部から媒体を給送する際の媒体給送経路Ｔ２、装置背面から媒体を給送する際の媒体給送経路Ｔ３（図４参照）、のこれら３つの媒体給送経路を有している。また符号Ｔ４は、送りローラー対１５と排出ローラー対１９との間の媒体搬送経路である。媒体給送経路Ｔ１、Ｔ２、Ｔ３のこれらは全て、媒体搬送経路Ｔ４に接続する。
【００２８】
媒体給送経路Ｔ１では、媒体は媒体収容部としての媒体カセット１０から、ピックローラー１１によって−Ｙ方向に送り出され、反転ローラー２０によって湾曲反転させられ、記録ヘッド１７の側である＋Ｙ方向、具体的には送りローラー対１５に向けて送られる。この様に媒体給送経路Ｔ１は、媒体カセット１０から送り出された媒体を反転ローラー２０によって湾曲反転させる湾曲反転経路を含む。  
ピックローラー１１及び反転ローラー２０は、搬送モーター５３（図９参照）を動力源とする。尚、反転ローラー２０の外周に沿って、従動ローラー２２ａ、２２ｂ、２２ｃが設けられている。
【００２９】
媒体給送経路Ｔ２では、傾斜支持部１２Ａ及び延長支持部１２Ｂによって傾斜姿勢に支持された媒体が、給送ローラー１３及び補助ローラー１４によって送りローラー対１５に向けて送られる。即ち媒体給送経路Ｔ２は、装置後方上部にセットされた媒体を給送する経路である。給送ローラー１３及び補助ローラー１４は、搬送モーター５３（図９参照）を動力源とする。
【００３０】
媒体給送経路Ｔ３は、装置背面から前面に向けて手差しで媒体を送り込む為の経路である。媒体給送経路Ｔ３は、ほぼ直線状の経路であり、本実施形態では水平方向に沿って延びる経路である。媒体給送経路Ｔ３は、装置本体２の背面側から反転ユニット２４を取り外し、反転ユニット２４に設けられたアダプター２３を取り外して図４に示す様に装置本体２に装着することで形成される。換言すれば、反転ユニット２４は装着状態において媒体給送経路Ｔ３を閉塞するユニット体である。
【００３１】
反転ユニット２４は、図５に示す様に装置本体２の背面側から−Ｙ方向に取り外す様に構成されており、図６に示す様に反転ローラー２０を備えるユニット体として構成されている。反転ユニット２４の上部において＋Ｙ方向には、図６に示す様にアダプター２３が装着されている。媒体給送経路Ｔ３を利用して媒体を給送する際、アダプター２３を反転ユニット２４から取り外し、図４に示す様にプリンター１に装着する。  
アダプター２３には、図７に示す様にエッジガイド２３ａ、２３ｂが設けられている。エッジガイド２３ａ、２３ｂは、不図示のラックピニオン機構によって互いに接近し、或いは離間する様に設けられている。媒体給送経路Ｔ３により給送される媒体の幅方向端部が、エッジガイド２３ａ、２３ｂによりガイドされる。
【００３２】
図３及び図４に戻り、媒体を記録ヘッド１７と対向する位置へ送る送りローラー対１５は、送りローラー１５ａと、ニップローラー１５ｂとを備えて成る。送りローラー１５ａは、搬送モーター５３（図９参照）を動力源とする。ニップローラー１５ｂは、送りローラー１５ａに対して進退可能に設けられるとともに、不図示のばねによって送りローラー１５ａに向けて押圧されており、送りローラー１５ａとの間で媒体をニップして従動回転する。
【００３３】
送りローラー対１５の下流には、記録手段の一例である記録ヘッド１７と、媒体支持部１８とが対向配置されている。記録ヘッド１７は、本実施形態ではインクを吐出するインクジェット記録ヘッドとして構成されている。媒体支持部１８は、媒体を支持することにより、記録ヘッド１７と媒体との間のギャップを規定する。  
記録ヘッド１７が設けられたキャリッジ１６は、媒体幅方向に往復動可能に設けられているとともに、制御部５０（図９参照）により制御されるキャリッジモーター５１（図９参照）から動力を得て、Ｘ軸方向に移動する。  
尚、キャリッジ１６は、制御部５０（図９参照）のもとで制御される調整機構４９（図９参照）によりＺ軸方向に変位可能となっており、この調整機構４９により、記録ヘッド１７と媒体支持部１８の間隔が調整可能となっている。調整機構４９は、例えば不図示のモーターとカム機構によって構成される。
【００３４】
記録ヘッド１７及び媒体支持部１８の下流には、排出ローラー対１９が設けられている。排出ローラー対１９は、送りローラー１９ａと、ニップローラー１９ｂとを備えて成る。送りローラー１９ａは、搬送モーター５３（図９参照）を動力源とする。ニップローラー１９ｂは、送りローラー１９ａに対して進退可能に設けられるとともに、不図示のばねによって送りローラー１９ａに向けて押圧されており、送りローラー１９ａとの間で媒体をニップして従動回転する。記録の行われた媒体は、排出ローラー対１９によって装置外に向けて排出され、媒体受けトレイ２１によって支持される。
【００３５】
続いて図９を参照しつつプリンター１における制御系統について説明する。  
制御部５０は、装置本体２での媒体の給送、搬送、記録及び排出や、スキャナー部３での原稿読み取り動作等、プリンター１の各種制御を行う。制御部５０には操作パネル６からの信号が入力され、また、操作パネル６でのＵＩを実現する為の信号が制御部５０から操作パネル６に送信される。
【００３６】
制御部５０は、キャリッジモーター５１、搬送モーター５３、センサーモーター３ｄ、のこれらモーターを制御する。本実施形態では各モーターはＤＣモーターである。  
制御部５０には、位置検出部５７、回転検出部５８、第１媒体検出部５９、第２媒体検出部６０、ユニット検出部６１、アダプター検出部６３、人感センサー６４、のこれら検出部からの検出信号も入力される。
【００３７】
位置検出部５７はリニアエンコーダーであり、キャリッジ１６のＸ軸方向における位置を検出する為の検出部である。回転検出部５８はロータリーエンコーダーであり、搬送モーター５３の回転量及び回転速度を検出する為の検出部である。
【００３８】
ユニット検出部６１は、装置本体２において反転ユニット２４（図５参照）の装着位置に設けられた、反転ユニット２４が装置本体２に装着されているか否かを検出する為の検出部である。ユニット検出部６１は、本実施形態では接触式のセンサーで構成される。  
尚、ユニット検出部６１を用いて行う処理が不要な場合は、ユニット検出部６１は省略することもできる。
【００３９】
アダプター検出部６３は、装置本体２においてアダプター２３（図４参照）の装着位置に設けられた、アダプター２３が装置本体２に装着されているか否かを検出する為の検出部である。アダプター検出部６３は、本実施形態では接触式のセンサーで構成される。  
尚、アダプター検出部６３を用いて行う処理が不要な場合は、アダプター検出部６３は省略することもできる。
【００４０】
人感センサー６４は、装置本体２の背面に設けられている（図５参照）。人感センサー６４は、本実施形態では赤外線センサーであり、人が接近した際の赤外線量の変化を検知し、これにより制御部５０はプリンター１の背面に対する人の近接を検知することができる。  
尚、人感センサー６４を用いて行う処理が不要な場合は、人感センサー６４は省略することもできる。
【００４１】
第１媒体検出部５９は図２に示す様に送りローラー対１５の上流近傍に設けられ、媒体の先端及び後端の通過を検出する為の検出部である。図３に示した媒体給送経路Ｔ３が用いられる際、ユーザーにより差し入れられた媒体の先端が第１媒体検出部５９による検出位置を通過すると、制御部５０は不図示のスピーカーから”ピッ”という音を発するとともに送りローラー対１５の回転を開始し、差し入れられた媒体を下流へ送る。  
この第１媒体検出部５９は、接触式或いは非接触式のセンサーで構成することができる。
【００４２】
第２媒体検出部６０はキャリッジ１６において媒体と対向する位置に設けられた検出部であり、媒体のＹ軸方向エッジ位置やＸ軸方向エッジ位置の検出等に利用される。第２媒体検出部６０は、検出光を発する発光部と媒体からの反射光を受光する受光部とを備える光学センサーで構成することができる。
【００４３】
制御部５０は、ＣＰＵ５４及びメモリ５５を備えている。ＣＰＵ５４はメモリ５５に保存されたプログラムに従って各種処理を行い、装置本体２やスキャナー部３における各種動作を制御する。メモリ５５は読み出し及び書き込みが可能な不揮発性メモリであり、装置本体２やスキャナー部３の各種制御を行う為のプログラムや各種パラメーター等が記憶されている。メモリ５５に記憶された制御プログラム（図９において「ＳＰ」）７０は、必要に応じてプリンター１の状態を、後述する携帯情報端末１００に通知する。また操作パネル６を介してユーザーが入力した各種設定情報も、メモリ５５に記憶される。
【００４４】
制御部５０は通信部６２を備えている。通信部６２は、外部機器と無線通信を行う為の通信モジュールであり、本実施例ではＷｉ−Ｆｉ方式に従った無線通信を行う為の通信モジュールである。Ｗｉ−Ｆｉは、国際規格であるＩＥＥＥ８０２．１１の規格に従って無線通信を実行する為の方式である。尚、名称としての「Ｗｉ−Ｆｉ」は、Wi-Fi Allianceの登録商標である。  
但し通信部６２はこれに限られず、国際規格であるＩＥＥＥ８０２．１５．１の規格に沿ったＢｌｕｅｔｏｏｔｈ方式により無線通信を行う通信モジュールであっても良く、更に赤外線通信や、その他の無線通信方式であっても良い。また通信部６２は、以上の各種通信モジュールのうち複数を備えて構成されていても良い。
【００４５】
以上の構成を備えるプリンター１は、図８に示す様にプリンター１と通信が可能な携帯情報端末１００とともに記録システム２００を構成する。携帯情報端末１００の一例として、スマートフォンが挙げられる。また本実施例では、プリンター１及び携帯情報端末１００はネットワーク４００に接続可能であり、ネットワーク４００を介して遠隔地にあるサーバー３００とデータの送受信が可能となっている。
【００４６】
携帯情報端末１００は、図１０に示す様に制御部１０１及び表示部１０５を備えている。表示部１０５は、本実施形態ではタッチパネルとして構成され、各種情報を表示するとともに、ユーザーによる各種設定操作を受け付けるＵＩが実現される。ユーザーは、表示部１０５に表示されたＵＩに従って各種設定操作や実行操作を行う。
【００４７】
制御部１０１には表示部１０５からの信号が入力され、また、表示部１０５でのＵＩを実現する為の信号が制御部１０１から表示部１０５に送信される。  
制御部１０１は、ＣＰＵ１０２及びメモリ１０３を備えている。ＣＰＵ１０２はメモリ１０３に格納されたプログラムに従って各種処理を行い、表示部１０５を制御する。メモリ１０３は読み出し及び書き込みが可能な不揮発性メモリであり、ＣＰＵ１０２によって実行されるプログラムや各種パラメーター等が記憶されている。メモリ１０３に記憶されたアプリケーションブログラム（図１０及び以降においてにおいて「ＡＰ」）１１０は、詳しくは後述するがプリンター１の背面側から媒体を給送する際に発生するイベントに基づき、前記イベント発生以降のユーザー操作方法に関する情報を表示部１０５に表示させるステップを実行させるプログラムである。
【００４８】
尚、本明細書において「プリンター１の背面側から媒体を給送する際に発生するイベント」には、プリンター１の背面側から媒体を給送する際にユーザーが行う操作や動作、プリンター１における前記操作や前記動作の検出、プリンター１が前記操作や前記動作を検出した結果行う処理、などが含まれる。詳しくは後述するが、前記操作には反転ユニット２４の取り外しやアダプター２３の装着などが含まれ、前記動作にはプリンター１の背面へのユーザーの接近などが含まれる。またプリンター１が前記操作や前記動作を検出した結果行う処理には、前記操作や前記動作を検出した旨の携帯情報端末１００への通知が含まれる。
【００４９】
制御部１０１は、通信部１０４を備えている。通信部１０４には、移動体通信を行う為の通信モジュールに加え、Ｗｉ−Ｆｉ方式に従った無線通信を行う為の通信モジュールも含まれる。尚、通信部１０４には、Ｂｌｕｅｔｏｏｔｈ方式により無線通信を行う通信モジュールが含まれていても良いし、赤外線通信や、その他の無線通信方式を行う為の通信モジュールが含まれていても良い。但し通信部１０４は、少なくともプリンター１と通信を確立できるものであることが必要となる。
【００５０】
続いて図１１を参照して、プリンター１の制御部５０と、携帯情報端末１００の制御部１０１が行う処理の流れを、ユーザー操作を交えて説明する。尚、以下では説明を判りやすくする為、プリンター１の制御部５０が行う処理を、プリンター１が行う処理として説明する。同様に、携帯情報端末１００の制御部１０１が行う処理を、携帯情報端末１００が行う処理として説明する。
【００５１】
ユーザーが携帯情報端末１００においてプリンター１との接続操作を行うと(ステップＳ１０）、プリンター１及び携帯情報端末１００は接続処理を行う（ステップＳ１１）。  
尚、ユーザーがプリンター１の背面にいる状態でＷｉ−Ｆｉネットワークを識別するためのＳＳＩＤ（Service Set IDentifier）及びパスワードを容易に取得する為に、例えば図５に示す様に延長支持部１２Ｂを上方に引き出して露呈する下部背面２ａに、二次元コード化されたＳＳＩＤ及びパスワードを表示しておいても良い。二次元コードの一例として、ＱＲコードが挙げられる。名称としてのＱＲコードは、デンソーウェーブの登録商標である。
【００５２】
或いはプリンター１の背面に、ＮＦＣ（Near Field Communication）方式に従った無線通信を行う為の通信部を設けた上で、携帯情報端末１００がＮＦＣ方式の通信によってＳＳＩＤ及びパスワードを取得する様に構成しても良い。
【００５３】
次に、ユーザーが携帯情報端末１００においてプリンター１の操作アプリ即ちＡＰ１１０（図１０参照）の起動操作を行うと（ステップＳ１２）、携帯情報端末１００はＡＰ１１０を起動させる（ステップＳ１３）。  
その状態でユーザーがプリンター１の背面側から反転ユニット２４（図５参照）を取り外すと（ステップＳ１４）、プリンター１は反転ユニット２４が取り外されたことを検出した旨を携帯情報端末１００に通知する（ステップＳ１５）。するとこれを受けて携帯情報端末１００では、以降のユーザー操作方法を案内するＵＩを表示する（ステップＳ１６）。
【００５４】
このＵＩは、図１３に示す画面１１１及び図１４に示す画面１１２の様に、ユーザー操作方法を案内するメッセージと、その操作方法を図示する静止画或いは動画と、幾つかのユーザー操作を受け付ける操作ボタンとで構成される。例えば図１３の画面１１１では、「反転ユニットからアダプターを取り外してください」のメッセージと、それを模式的に示す静止画が表示される。また、図１３においてユーザーが「次へ」を押下すると、図１４の画面１１２に示す様に「アダプターをプリンターに取り付けてください」のメッセージと、それを模式的に示す静止画が表示される。ユーザー操作方法に関する情報に静止画及び動画の少なくともいずれかを含めることで、ユーザー操作方法がユーザーにとって視覚的に判り易くなる。  
尚、ユーザーが「スキップ」を押下した場合、本実施例では以降において説明するステップＳ２２に進む。
【００５５】
次にユーザーがアダプター２３をプリンター１にセットすると（ステップＳ１７）、プリンター１はアダプター２３がセットされたことを検出した旨を携帯情報端末１００に通知する（ステップＳ１８）。するとこれを受けて携帯情報端末１００では、更に以降のユーザー操作方法を案内するＵＩを表示する（ステップＳ１９）。このＵＩは、例えば図１５の画面１１３に示す様に「”ピッ”と音がするまで用紙を差し入れて下さい」のメッセージと、それを模式的に示す静止画とを含んで構成される。
【００５６】
これに対してユーザーが媒体をプリンター１の媒体給送経路Ｔ３にセットすると（ステップＳ２０）、プリンター１は媒体がセットされたことを検出した旨を携帯情報端末１００に通知する（ステップＳ２１）。するとこれを受けて携帯情報端末１００では、印刷設定用のＵＩを表示部１０５に表示する（ステップＳ２２）。この印刷設定用ＵＩでは、媒体のサイズ、種類、記録品質、のこれらを設定する為のＵＩが提供される。媒体の種類には、例えば普通紙、光沢紙、などが含まれ、記録品質には、例えば「普通」、「きれい」などが含まれる。
【００５７】
ユーザーが各種印刷設定を行い、”ＯＫ”を選択すると（ステップＳ２３）、携帯情報端末１００はその操作情報をプリンター１に送信する（ステップＳ２４）。これを受けてプリンター１は、媒体への記録と、記録が行われた媒体の排出を行う（ステップＳ２５）。それが完了すると、プリンター１は携帯情報端末１００に対し印刷終了を通知し（ステップＳ２６）、これを受けて携帯情報端末１００は印刷継続確認を問うＵＩを表示させる（ステップＳ２７）。ここでは、「印刷を続けますか？」と「終了しますか？」の２つをユーザーに選択させる為のＵＩが提供させる。
【００５８】
ユーザーが印刷の継続を選択した場合、ステップＳ１９に戻る。ユーザーが印刷の終了を選択した場合（ステップＳ２９）、携帯情報端末１００は表示部１０５に、以降のユーザー操作方法を案内するＵＩを表示させる。ここでは、例えばアダプター２３のプリンター１からの取り外しと、これに続いて取り外したアダプター２３の反転ユニット２４への取り付けと、これに続いて反転ユニット２４のプリンター１への装着と、のこれらの操作が案内される。
【００５９】
ステップＳ２９の操作案内が終了した場合或いはユーザーにより操作案内のスキップが選択されると、携帯情報端末１００は表示部１０５にホーム画面を表示する（ステップＳ３０）。
【００６０】
図１２を参照して図１１のステップＳ２５でのプリンター１の処理の流れについて説明する。プリンター１は、携帯情報端末１００から操作情報を受信すると、第１媒体検出部５９（図４参照）が媒体を検出しているか否かを判断する（ステップＳ１０１）。媒体を検出していない場合（ステップＳ１０１においてNo）、アラートを発する（ステップＳ１０５）。このアラートは、例えばプリンター１が備える不図示のスピーカーからのビープ音の発出や、プリンター１が備える操作パネル６への、媒体がセットされていない旨の警告表示が挙げられる。また、媒体がセットされていない旨の情報を携帯情報端末１００に送信しても良い。これを受けて携帯情報端末１００は、表示部１０５に、媒体がセットされていない旨の警告を表示することもできる。
【００６１】
一方、媒体を検出した場合（ステップＳ１０１においてYes）、媒体への記録を行い（ステップＳ１０２）、記録の行われた媒体を排出し（ステップＳ１０３）、そして印刷が終了した旨を携帯情報端末１００に通知する（ステップＳ１０４及び図１１のステップＳ２６）。
【００６２】
以上説明した様にＡＰ１１０は、プリンター１を携帯情報端末１００から操作する為に携帯情報端末１００において実行されるプログラムであって、プリンター１の背面側から媒体を給送する際に発生するイベント（図１１においてステップＳ１５、Ｓ１８）に基づき、前記イベント発生以降のユーザー操作方法に関する情報を携帯情報端末１００の表示部１０５に表示させるステップ（図１１においてステップＳ１６、Ｓ１９、Ｓ２９）を実行させる。  
またプリンター１は、携帯情報端末１００との通信が確立された状態で媒体給送経路Ｔ３から媒体を給送する際に発生するイベント（図１１においてステップＳ１４、Ｓ１７）を検出すると、当該検出を携帯情報端末１００に通知する（図１１においてステップＳ１５、Ｓ１８）。  
またプリンター１及びプリンター１と通信が可能な携帯情報端末１００を含む記録システム２００において、プリンター１は、装置背面側から媒体を給送する際に発生するイベント（図１１においてステップＳ１４、Ｓ１７）を検出すると、当該検出を携帯情報端末１００に通知し（図１１においてステップＳ１５、Ｓ１８）、携帯情報端末１００は、前記通知を受け、前記イベント発生以降のユーザー操作方法に関する情報を携帯情報端末１００が備える表示部１０５に表示させる。  
以上によりユーザーは、プリンター１の背面側から媒体を給送する際の操作方法を視認性容易に確認することができ、ユーザーの利便性が向上する。
【００６３】
またＡＰ１００の観点において上記イベントは、プリンター１の背面側から媒体を給送する際の給送経路である媒体給送経路Ｔ３を閉塞するユニット体、即ち反転ユニット２４が取り外されたことを検出した旨の、プリンター１から携帯情報端末１００に向けた通知である（図１１のステップＳ１５）。  
即ちプリンター１の背面側から反転ユニット２４が取り外されたということは、ユーザーがプリンター１の背面側から媒体を給送しようとする意思表示であると言える。そして上記イベントは、プリンター１の背面側から反転ユニット２４が取り外されたことを検出した旨の、プリンター１から携帯情報端末１００に向けた通知であるので、ユーザーの行動に見合った適切な操作方法を提示することができる。
【００６４】
またＡＰ１００の観点において上記イベントは、媒体給送経路Ｔ３を形成する経路形成部材であるアダプター２３がプリンター１に装着された旨の、プリンター１から携帯情報端末１００に向けた通知である（図１１のステップＳ１８）。  
即ちアダプター２３がプリンター１に装着されたということは、ユーザーがプリンター１の背面側から媒体を給送しようとする意思表示であると言える。そして上記イベントは、アダプター２３がプリンター１に装着された旨の、プリンター１から携帯情報端末１００に向けた通知であるので、ユーザーの行動に見合った適切な操作方法を提示することができる。
【００６５】
続いて図１６を参照してプリンター１と携帯情報端末が行う処理の他の実施例を説明する。  
図１６のステップＳ４０〜Ｓ４３については、図１１のステップＳ１０〜Ｓ１３と同様であるので、以下ではその説明は省略する。  
本実施例ではユーザーがプリンター１の背面に接近し（ステップＳ４４）、プリンター１がそれを人感センサー６４（図５、図９参照）により検知すると、プリンター１はその旨を携帯情報端末１００に通知する（ステップＳ４５）。
【００６６】
するとこれを受けて携帯情報端末１００では、以降のユーザー操作方法を案内するＵＩを表示する（ステップＳ４６）。このＵＩは、例えば図１７の画面１１４で示す様に、「プリンターから反転ユニットを取り外してください」のメッセージと、それを模式的に示す静止画とで構成される。  
これに対しユーザーが反転ユニット２４をプリンター１から取り外すと（ステップＳ４７）、プリンター１は反転ユニット２４が取り外されたことを検出した旨を携帯情報端末１００に通知する（ステップＳ４８）。以降のステップＳ４９〜Ｓ６３については、図１１を参照して説明したステップＳ１６〜Ｓ３０と同様であるので、以下ではその説明は省略する。
【００６７】
以上の様に、本実施例においても、プリンター１を携帯情報端末１００から操作する為に携帯情報端末１００において実行されるプログラムであるＡＰ１１０は、プリンター１の背面側から媒体を給送する際に発生するイベントに基づき、前記イベント発生以降のユーザー操作方法に関する情報を携帯情報端末１００の表示部１０５に表示させるステップ（図１６においてステップＳ４６、Ｓ４９、Ｓ５２、Ｓ６２）を実行させる。  
これによりユーザーはプリンター１の背面側から媒体を給送する際の操作方法を視認性容易に確認することができ、ユーザーの利便性が向上する。  
そして本実施例において上記イベントは、プリンター１の背面側に設けられた人感センサー６４が人を検知した旨の、プリンター１から携帯情報端末１００に向けた通知である。
【００６８】
即ち、プリンター１の背面側に設けられた人感センサー６４が人を検知したということは、ユーザーがプリンター１の背面側から媒体を給送しようとする可能性があると言える。そして上記イベントは、プリンター１の背面側に設けられた人感センサー６４が人を検知した旨の、プリンター１から携帯情報端末１００に向けた通知であるので、ユーザーの行動に見合う適切な操作方法を提示することができる。
【００６９】
以上説明した実施例では、適宜以下の様にすることもできる。  
（１）ユーザー操作方法は、携帯情報端末１００の表示部１０５のみならず、プリンター１の操作パネル６に表示しても良い。その際、双方で表示される情報を同じにすることもできる。これにより、ユーザーの利便性を向上させることができる。  
また、携帯情報端末１００の表示部１０５での表示とプリンター１の操作パネル６での表示とを同期させてもよく、例えば一方において画面が切り替わった際、他方でも同じタイミングで画面が切り替わる様にしても良い。これにより、ユーザーの利便性をより一層向上させることができる。  
（２）ユーザー操作方法に関する情報は、携帯情報端末１００のメモリ１０３に保存されていても良いし、或いはプリンター１のメモリ５５に保存されていても良く、その場合携帯情報端末１００が無線通信によりプリンター１からユーザー操作方向に関する情報を取得する。また或いは、ユーザー操作方法に関する情報は図８のサーバー３００に保存されていても良く、その場合携帯情報端末１００がネットワーク４００を介してサーバー３００からユーザー操作方向に関する情報を取得する。
【００７０】
（３）プリンター１の背面側から媒体を給送する際に発生するイベントとして、反転ユニット２４のプリンター１からの取り外し、アダプター２３のプリンター１への装着、プリンター１へのユーザーの接近、のこれらを一例として挙げたが、勿論これらに限られないことは言うまでもない。  
例えば、携帯情報端末１００においてユーザーが媒体給送経路として媒体給送経路Ｔ３を選択したことを上記イベントとしても良い。
（４）プリンター１背面へのユーザーの接近は、上記実施例では人感センサー６４により検知した。しかし例えばプリンター１が、携帯情報端末１００から受信した電波の入射角度に基づいてプリンター１に対する携帯情報端末１００の角度を検出し、携帯情報端末１００がプリンター１の背面よりも−Ｙ方向に位置すると判断できる場合に、プリンター１背面にユーザーが接近したと判断する様にしても良い。
【００７１】
（５）携帯情報端末１００におけるアプリケーションプログラムであるＡＰ１１０は、上記実施例ではユーザーが起動操作することとしたが、プリンター１の背面側から媒体を給送する際に発生するイベントに基づき、携帯情報端末１００がＡＰ１１０を自動で起動する様にしても良い。
【００７２】
（６）装置背面側からのユーザー操作は、媒体給送経路Ｔ３を利用した媒体の給送のほか、ジャム処理が考えられる。装置内部で詰まった媒体を除去する場合、反転ユニット２４を装置本体２から取り外すこととなる。そして媒体のジャム発生は、プリンター１の制御部５０が第１媒体検出部５９或いは第２媒体検出部６０の検出情報をもとに検知できる為、プリンター１は媒体のジャム発生を検知した場合、携帯情報端末１００にその旨を通知することができる。これを受けて携帯情報端末１００は、表示部１０５に詰まった媒体の除去方法を表示させることもできる。  
また装置内部でジャム発生を検知している状態で、プリンター１の背面へのユーザーの接近を検知した際、携帯情報端末１００はその旨の通知をプリンター１から受けると、媒体給送経路Ｔ３を利用した媒体の給送に関する操作方法ではなく、ジャム処理方法を優先的に表示させることもできる。
【００７３】
本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００７４】
１…インクジェットプリンター、２…装置本体、３…スキャナー部、３ａ…原稿カバー、３ｂ…原稿台、３ｃ…読取センサー、３ｄ…センサーモーター、４…前面カバー、６…操作パネル、８…上面カバー、９…媒体排出口、１０…媒体カセット、１１…ピックローラー、１２Ａ…傾斜支持部、１２Ｂ…延長支持部、１３…給送ローラー、１４…補助ローラー、１５…送りローラー対、１５ａ…送りローラー、１５ｂ…ニップローラー、１６…キャリッジ、１７…記録ヘッド、１８…媒体支持部、１９…排出ローラー対、１９ａ…送りローラー、１９ｂ…ニップローラー、２０…反転ローラー、２１…媒体受けトレイ、２２ａ、２２ｂ、２２ｃ…従動ローラー、２３…アダプター、２４…反転ユニット、４９…調整機構、５０…制御部、５１…キャリッジモーター、５３…搬送モーター、５４…ＣＰＵ、５５…メモリ、５７…位置検出部、５８…回転検出部、５９…第１媒体検出部、６０…第２媒体検出部、６１…ユニット検出部、６２…通信部、６３…アダプター検出部、６４…人感センサー、７０…制御プログラム（ＳＰ）、１００…携帯情報端末、１０１…制御部、１０２…ＣＰＵ、１０３…メモリ、１０４…通信部、１０５…表示部、１１０…アプリケーションプログラム（ＡＰ）、１１１…画面、２００…記録システム、３００…サーバー、４００…ネットワーク、Ｔ１、Ｔ２、Ｔ３…媒体給送経路
【図１】
2022001405.tif 000003
【図２】
2022001405.tif 000004
【図３】
2022001405.tif 000005
【図４】
2022001405.tif 000006
【図５】
2022001405.tif 000007
【図６】
2022001405.tif 000008
【図７】
2022001405.tif 000009
【図８】
2022001405.tif 000010
【図９】
2022001405.tif 000011
【図１０】
2022001405.tif 000012
【図１１】
2022001405.tif 000013
【図１２】
2022001405.tif 000014
【図１３】
2022001405.tif 000015
【図１４】
2022001405.tif 000016
【図１５】
2022001405.tif 000017
【図１６】
2022001405.tif 000018
【図１７】
2022001405.tif 000019